(57)【要約】  不連続受信（ＤＲＸ）制御方法及び装置がｓｈｏｒｔ  ＤＲＸ周期とｌｏｎｇ  ＤＲＸ周期を利用して移動通信システムにおいてＤＲＸ動作のデュレーション周期の開始時間を決定する。Ｌｏｎｇ  ＤＲＸモード及びｓｈｏｒｔ  ＤＲＸモードの１つを決定することを含む本発明による端末機のＤＲＸ制御方法は、ｓｈｏｒｔ  ＤＲＸモードが選択されれば、ｓｈｏｒｔ  ＤＲＸパラメータに基づいて決定されるｓｈｏｒｔ  ＤＲＸモードの開始時間を設定し、ｌｏｎｇ  ＤＲＸモードが選択されれば、ｌｏｎｇ  ＤＲＸパラメータに基づいて決定されるｌｏｎｇ  ＤＲＸモードの開始時間を設定する。
2012508501.tif 000002
【特許請求の範囲】
【請求項１】
無線通信システム端末の不連続受信制御方法において、
ｌｏｎｇ  ＤＲＸモードまたはｓｈｏｒｔ  ＤＲＸモードのいずれかに決定する過程と、
前記ｓｈｏｒｔ  ＤＲＸモードが決定されれば、少なくとも１つのｌｏｎｇ  ＤＲＸパラメータに基づいて開始時間が決定されるＳｈｒｏｔ  ＤＲＸモードを設定する過程と、
前記ｌｏｎｇ  ＤＲＸモードが決定されれば、ｌｏｎｇ  ＤＲＸパラメータに基づいて開始時間が決定されるｌｏｎｇ  ＤＲＸモードを設定する過程と、を備えることを特徴とする方法。
【請求項２】
シグナリングを通じて前記ＤＲＸパラメータを受信し、前記ＤＲＸパラメータは、ＤＲＸ  ｓｔａｒｔ  ｏｆｆｓｅｔ、ｌｏｎｇ  ＤＲＸ  ｃｙｃｌｅ、ｓｈｏｒｔ  ＤＲＸ  ｃｙｃｌｅ、オンデュレーションタイマー情報を含むことを特徴とする請求項１に記載の方法。
【請求項３】
前記シグナリングは、ＲＲＣシグナリングであることを特徴とする請求項２に記載の方法。
【請求項４】
前記ｓｈｏｒｔ  ＤＲＸモードでは、前記開始時間の決定は、［（ＳＦＮ＊１０）＋ｓｕｂｆｒａｍｅ  ｎｕｍｂｅｒ］ｍｏｄｕｌｏ（Ｓｈｏｒｔ  ＤＲＸ  ｃｙｃｌｅ）＝（ＤＲＸ  ｓｔａｒｔ  ｏｆｆｓｅｔ）ｍｏｄｕｌｏ（Ｓｈｏｒｔ  ＤＲＸ  ｃｙｃｌｅ）の数式を満足するサブフレームの開始時間に設定することを特徴とする請求項２に記載の方法。
【請求項５】
前記ｌｏｎｇ  ＤＲＸモードでは、前記開始時間の決定は、［（ＳＦＮ＊１０）＋ｓｕｂｆｒａｍｅ  ｎｕｍｂｅｒ］ｍｏｄｕｌｏ（Ｌｏｎｇ  ＤＲＸ  ｃｙｃｌｅ）＝（ＤＲＸ  ｓｔａｒｔ  ｏｆｆｓｅｔ）ｍｏｄｕｌｏ（Ｌｏｎｇ  ＤＲＸ  ｃｙｃｌｅ）の数式を満足するサブフレームの開始時間に設定することを特徴とする請求項４に記載の方法。
【請求項６】
前記ｌｏｎｇ  ＤＲＸモードまたはｓｈｏｒｔ  ＤＲＸモードのいずれかに決定する過程は、一定時間基地局から資源割り当てを受けなければ、前記ｌｏｎｇ  ＤＲＸモードを選択し、そうではなければ、前記ｓｈｏｒｔ  ＤＲＸモードを選択することを特徴とする請求項５に記載の方法。
【請求項７】
オンデュレーションの間に制御チャネルの制御情報を監視する過程と、
制御情報が検出されなければ、スリープモードに遷移する過程とをさらに備えることを特徴とする請求項１に記載の方法。
【請求項８】
前記オンデュレーションは、伝送フレームの間に多様に設定されることを特徴とする請求項７に記載の方法。
【請求項９】
無線通信システム端末の不連続受信制御方法において、
ｌｏｎｇ  ＤＲＸモードまたはｓｈｏｒｔ  ＤＲＸモードのいずれかに決定する過程と、
前記ｓｈｏｒｔ  ＤＲＸモードが決定されれば、［（ＳＦＮ＊１０）＋ｓｕｂｆｒａｍｅ  ｎｕｍｂｅｒ］ｍｏｄｕｌｏ（Ｓｈｏｒｔ  ＤＲＸ  ｃｙｃｌｅ）＝（ＤＲＸ  ｓｔａｒｔ  ｏｆｆｓｅｔ）ｍｏｄｕｌｏ（Ｓｈｏｒｔ  ＤＲＸ  ｃｙｃｌｅ）の数式を満足するサブフレームのオンデュレーション期間の開始時間にｓｈｏｒｔ  ＤＲＸモードの開始時間を設定する過程と、
前記ｌｏｎｇ  ＤＲＸモード決定されれば、［（ＳＦＮ＊１０）＋ｓｕｂｆｒａｍｅ  ｎｕｍｂｅｒ］ｍｏｄｕｌｏ（Ｌｏｎｇ  ＤＲＸ  ｃｙｃｌｅ）＝（ＤＲＸ  ｓｔａｒｔ  ｏｆｆｓｅｔ）ｍｏｄｕｌｏ（Ｌｏｎｇ  ＤＲＸ  ｃｙｃｌｅ）の数式を満足するサブフレームのオンデュレーション開始でｌｏｎｇ  ＤＲＸモードの開始時間を設定する過程と、を備えることを特徴とする方法。
【請求項１０】
シグナリングを通じて前記ＤＲＸパラメータを受信し、前記ＤＲＸパラメータは、ＤＲＸ  ｓｔａｒｔ  ｏｆｆｓｅｔ、ｌｏｎｇ  ＤＲＸ  ｃｙｃｌｅ、ｓｈｏｒｔ  ＤＲＸ  ｃｙｃｌｅ、オンデュレーションタイマー情報を含むことを特徴とする請求項９に記載の方法。
【請求項１１】
前記シグナリングは、ＲＲＣシグナリングであることを特徴とする請求項１０に記載の方法。
【請求項１２】
オンデュレーションの間に制御チャネルの制御情報を監視する過程と、
制御情報が検出されなければ、スリープモードに遷移する過程とをさらに備えることを特徴とする請求項９に記載の方法。
【請求項１３】
前記オンデュレーションは、伝送フレームの間に多様に設定されることを特徴とする請求項１２に記載の方法。
【請求項１４】
無線通信システム端末の不連続受信制御装置において、
基地局で伝送される信号を受信し、受信される信号に基づいてｓｈｏｒｔ  ＤＲＸモードまたはｌｏｎｇ  ＤＲＸモードのいずれかで動作する受信部と、
前記信号からＤＲＸパラメータを抽出するＲＲＣ部と、
前記ＲＲＣ部で提供されるＤＲＸパラメータを保存し、ｌｏｎｇ  ＤＲＸモードまたはｓｈｏｒｔ  ＤＲＸモードのいずれかに決定し、前記ｓｈｏｒｔ  ＤＲＸモードと決定されれば、少なくとも１つのｌｏｎｇ  ＤＲＸパラメータに基づいてＳｈｏｒｔ  ＤＲＸモードの開始時間を決定し、前記受信部をｓｈｏｒｔ  ＤＲＸ制御し、前記ｌｏｎｇ  ＤＲＸモードと決定されれば、ｌｏｎｇ  ＤＲＸパラメータに基づいてｌｏｎｇ  ＤＲＸモードの開始時間を決定し、前記受信部をｌｏｎｇ  ＤＲＸ制御するＤＲＸ制御部とで構成されることを特徴とする装置。
【請求項１５】
前記ｓｈｏｒｔ  ＤＲＸモードでは、前記開始時間は、［（ＳＦＮ＊１０）＋ｓｕｂｆｒａｍｅ  ｎｕｍｂｅｒ］ｍｏｄｕｌｏ（Ｓｈｏｒｔ  ＤＲＸ  ｃｙｃｌｅ）＝（ＤＲＸ  ｓｔａｒｔ  ｏｆｆｓｅｔ）ｍｏｄｕｌｏ（Ｓｈｏｒｔ  ＤＲＸ  ｃｙｃｌｅ）の数式を満足するサブフレームの開始時間で決定され、前記ｌｏｎｇ  ＤＲＸモードでは、前記開始時間は、［（ＳＦＮ＊１０）＋ｓｕｂｆｒａｍｅ  ｎｕｍｂｅｒ］ｍｏｄｕｌｏ（Ｌｏｎｇ  ＤＲＸ  ｃｙｃｌｅ）＝（ＤＲＸ  ｓｔａｒｔ  ｏｆｆｓｅｔ）ｍｏｄｕｌｏ（Ｌｏｎｇ  ＤＲＸ  ｃｙｃｌｅ）の数式を満足するサブフレームの開始時間で決定されることを特徴とする請求項１４に記載の装置。
【発明の詳細な説明】
【技術分野】
【０００１】
本発明は、移動通信システムで不連続受信動作を制御する方法及び装置に関し、より具体的には、不連続受信動作が支援されるシステムで不連続受信時点を決定する方法及び装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）システムは、ヨーロッパ式移動通信システムであるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）とＧＰＲＳ（Ｇｅｎｅｒａｌ  Ｐａｃｋｅｔ  Ｒａｄｉｏ  Ｓｅｒｖｉｃｅｓ）を基盤として広帯域の符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、以下ＷＣＤＭＡという）を用いた第３世代非同期移動通信システムである。
【０００３】
現在、ＵＭＴＳ標準化を担当している３ＧＰＰ（３ｒｄ  Ｇｅｎｅｒａｔｉｏｎ  Ｐａｒｔｎｅｒｓｈｉｐ  Ｐｒｏｊｅｃｔ）では、ＵＭＴＳシステムの次世代移動通信システムとしてＬＴＥ（Ｌｏｎｇ  Ｔｅｒｍ  Ｅｖｏｌｕｔｉｏｎ）に対する論議が進行中にある。ＬＴＥは、最大１００Ｍｂｐｓ程度の伝送速度を有する高速パケット基盤通信を具現する技術であって、２０１０年頃に商用化することを目標にしている。このために、様々な方案が論議されているが、例えば、ネットワークの構造を簡単にして、通信路上に位置するノードの数を低減する方案や、無線プロトコルを最大限無線チャネルに近接させる方案などが論議中にある。
【発明の概要】
【発明が解決しようとする課題】
【０００４】
一方、ＬＴＥ移動通信システムでは、連結状態端末に不連続受信動作を適用し、端末のバッテリー寿命を延長する。不連続受信動作は、端末が定められた時点に受信機をオンとし、順方向制御チャネルを監視し、一定期間の間にスケジューリングされなければ、受信機をオフとし、バッテリーを節約する。前記定められた時点は、所定の周期ごとに渡来する。端末が駆動しているサービスの種類によってバッテリー節約効率を高めるために、２つの周期が使用されることもできる。一定条件が充足されれば、１つの周期から他の周期に遷移し、遷移するたびに端末が受信機をオンする開始時間を新しく決定しなければならない。
【課題を解決するための手段】
【０００５】
本発明は、前述したような問題点及び／または短所のうち少なくとも１つを考慮し、下記で説明する利益のうち少なくとも１つを提供する。本発明は、無線リソース制御（Ｒａｄｉｏ  Ｒｅｓｏｕｒｃｅ  Ｃｏｎｔｒｏｌ、以下“ＲＲＣ”という）連結再設定またはハンドオーバー後、中断された不連続受信動作を再開する時点を決定する方法及び装置を提供する。
【０００６】
また、本発明では、端末に２つの周期を有する不連続受信動作が定義されていて、端末が１つの周期から他の周期に遷移しながら受信機をオン状態に遷移する時点を決定する方法及び装置を提案する。
【０００７】
本発明の実施例による無線通信システム端末の不連続受信制御方法は、ｌｏｎｇ  ＤＲＸモードまたはｓｈｏｒｔ  ＤＲＸモードのいずれかに決定する過程と、前記ｓｈｏｒｔ  ＤＲＸモードが決定されれば、少なくとも１つのｌｏｎｇ  ＤＲＸパラメータに基づいて開始時間が決定されるＳｈｒｏｔ  ＤＲＸモードを設定する過程と、前記ｌｏｎｇ  ＤＲＸモードが決定されれば、ｌｏｎｇ  ＤＲＸパラメータに基づいて開始時間が決定されるｌｏｎｇ  ＤＲＸモードを設定する過程とを備えることを特徴とする。
【０００８】
ここで、前記端末は、シグナリングを通じて前記ＤＲＸパラメータを受信し、前記ＤＲＸパラメータは、ＤＲＸ  ｓｔａｒｔ  ｏｆｆｓｅｔ、ｌｏｎｇ  ＤＲＸ  ｃｙｃｌｅ、ｓｈｏｒｔ  ＤＲＸ  ｃｙｃｌｅ、オンデュレーションタイマー情報を含む。
【０００９】
前記シグナリングは、ＲＲＣシグナリングになることができる。
【００１０】
また、前記ｓｈｏｒｔ  ＤＲＸモードでは、前記開始時間の決定は、［（ＳＦＮ＊１０）＋ｓｕｂｆｒａｍｅ  ｎｕｍｂｅｒ］ｍｏｄｕｌｏ（Ｓｈｏｒｔ  ＤＲＸ  ｃｙｃｌｅ）＝（ＤＲＸ  ｓｔａｒｔ  ｏｆｆｓｅｔ）ｍｏｄｕｌｏ（Ｓｈｏｒｔ  ＤＲＸ  ｃｙｃｌｅ）の数式を満足するサブフレームの開始時間に設定する。
【００１１】
前記ｌｏｎｇ  ＤＲＸモードでは、前記開始時間の決定は、［（ＳＦＮ＊１０）＋ｓｕｂｆｒａｍｅ  ｎｕｍｂｅｒ］ｍｏｄｕｌｏ（Ｌｏｎｇ  ＤＲＸ  ｃｙｃｌｅ）＝（ＤＲＸ  ｓｔａｒｔ  ｏｆｆｓｅｔ）ｍｏｄｕｌｏ（Ｌｏｎｇ  ＤＲＸ  ｃｙｃｌｅ）満足するサブフレームの開始時間に設定することができる。
【００１２】
また、前記ｌｏｎｇ  ＤＲＸモードまたはｓｈｏｒｔ  ＤＲＸモードのいずれかに決定する過程は、一定時間基地局から資源割り当てを受けなければ、前記ｌｏｎｇ  ＤＲＸモードを選択し、そうではなければ、前記ｓｈｏｒｔ  ＤＲＸモードを選択する。
【００１３】
本発明の実施例による無線通信システム端末の不連続受信制御方法は、ｌｏｎｇ  ＤＲＸモードまたはｓｈｏｒｔ  ＤＲＸモードのいずれかに決定する過程と、前記ｓｈｏｒｔ  ＤＲＸモードが決定されれば、［（ＳＦＮ＊１０）＋ｓｕｂｆｒａｍｅ  ｎｕｍｂｅｒ］ｍｏｄｕｌｏ（Ｓｈｏｒｔ  ＤＲＸ  ｃｙｃｌｅ）＝（ＤＲＸ  ｓｔａｒｔ  ｏｆｆｓｅｔ）ｍｏｄｕｌｏ（Ｓｈｏｒｔ  ＤＲＸ  ｃｙｃｌｅ）の数式を満足するサブフレームのオンデュレーション期間の開始時間にｓｈｏｒｔ  ＤＲＸモードの開始時間を設定する過程と、前記ｌｏｎｇ  ＤＲＸモード決定されれば、［（ＳＦＮ＊１０）＋ｓｕｂｆｒａｍｅ  ｎｕｍｂｅｒ］ｍｏｄｕｌｏ（Ｌｏｎｇ  ＤＲＸ  ｃｙｃｌｅ）＝（ＤＲＸ  ｓｔａｒｔ  ｏｆｆｓｅｔ）ｍｏｄｕｌｏ（Ｌｏｎｇ  ＤＲＸ  ｃｙｃｌｅ）を満足するサブフレームのオンデュレーション期間の開始時間にｌｏｎｇ  ＤＲＸモードの開始時間を設定する過程とを備えることを特徴とする。
【００１４】
本発明の実施例による無線通信システム端末の不連続受信制御装置は、基地局で伝送される信号を受信し、受信される信号に基づいてｓｈｏｒｔ  ＤＲＸモードまたはｌｏｎｇ  ＤＲＸモードで動作する受信部と、前記受信される信号からＤＲＸパラメータを抽出するＲＲＣ部と、前記ＲＲＣ部で提供されるＤＲＸパラメータを保存し、ｌｏｎｇ  ＤＲＸモードまたはｓｈｏｒｔ  ＤＲＸモードのいずれかに決定し、前記ｓｈｏｒｔ  ＤＲＸモードと決定されれば、少なくとも１つのｌｏｎｇ  ＤＲＸパラメータに基づいてＳｈｏｒｔ  ＤＲＸモードの開始時間を決定し、前記受信部をｓｈｏｒｔ  ＤＲＸ制御し、前記ｌｏｎｇ  ＤＲＸモードと決定されれば、ｌｏｎｇ  ＤＲＸパラメータに基づいてｌｏｎｇ  ＤＲＸモードの開始時間を決定し、前記受信部をｌｏｎｇ  ＤＲＸ制御するＤＲＸ制御部とで構成されることを特徴とする。
【００１５】
ここで、前記ｓｈｏｒｔ  ＤＲＸモードでは、前記開始時間は、［（ＳＦＮ＊１０）＋ｓｕｂｆｒａｍｅ  ｎｕｍｂｅｒ］ｍｏｄｕｌｏ（Ｓｈｏｒｔ  ＤＲＸ  ｃｙｃｌｅ）＝（ＤＲＸ  ｓｔａｒｔ  ｏｆｆｓｅｔ）ｍｏｄｕｌｏ（Ｓｈｏｒｔ  ＤＲＸ  ｃｙｃｌｅ）の数式を満足するサブフレームの開始時間で決定され、前記ｌｏｎｇ  ＤＲＸモードでは、前記開始時間は、［（ＳＦＮ＊１０）＋ｓｕｂｆｒａｍｅ  ｎｕｍｂｅｒ］ｍｏｄｕｌｏ（Ｌｏｎｇ  ＤＲＸ  ｃｙｃｌｅ）＝（ＤＲＸ  ｓｔａｒｔ  ｏｆｆｓｅｔ）ｍｏｄｕｌｏ（Ｌｏｎｇ  ＤＲＸ  ｃｙｃｌｅ）の数式を満足するサブフレームの開始時間で決定される。
【００１６】
本発明の他の側面、利益及び重要な特徴は、本発明の図面及び詳細な説明の記載からこの分野における通常の知識を有する者には自明だろう。
【発明の効果】
【００１７】
本発明の実施例によるＤＲＸ制御方法は、不正確なオンデュレーション期間検出によるＤＲＸの誤動作を避けるために、ＤＲＸ開始オフセットがＤＲＸ周期よりさらに大きい時、オンデュレーションの開始時間を効果的に決定するために、端末が２つの異なるＤＲＸ周期を使用することができるようにする。安定したＤＲＸ動作によって、電源節約、資源の効率的使用及び受信品質などが向上する。
【００１８】
本発明の実施例による移動通信システムの信号伝送方法及び装置は、端末がデータの初期伝送及び再伝送を指示するアップリンク伝送資源割り当てメッセージを明確にすることができ、これにより、アップリンク伝送資源割り当てメッセージの誤認識によって惹起される資源の無駄使いを節減させることができる。
【図面の簡単な説明】
【００１９】
【図１】本発明による長い周期と短い周期を有する不連続受信動作を説明した図である。
【図２】本発明による端末機のオンデュレーション開始時間を決定する動作を説明した図である。
【図３】本発明の実施例による端末装置のブロック構成図である。
【発明を実施するための形態】
【００２０】
以下、添付の図面を参照して本発明の動作原理を詳しく説明する。下記で、本発明を説明するにあたって、関連された公知の機能または構成に対する具体的な説明が本発明の要旨を不明瞭にすることができると判断される場合には、その詳細な説明を省略する。そして、後述する用語は、本発明での機能を考慮して定義された用語であって、これは、ユーザ、運用者の意図または慣例などによって変わることができる。したがって、それは、本明細書全般にわたった内容に基づいて定義されなければならない。
【００２１】
本発明は、移動通信システムで不連続受信動作を制御する方法及び装置を提案する。また、不連続受信動作を制御するために、本発明の実施例では、長い周期の不連続受信時点の開始時間を計算するパラメータを利用して短い周期の不連続受信周期の不連続受信時点の開始時間を計算することによって、長い周期の不連続受信時点と短い周期の不連続受信時点との間の一貫性を維持し、資源を効率的に使用するようにする。
【００２２】
以下で説明する本発明の実施例では、長い周期不連続受信（Ｄｉｓｃｏｎｔｉｎｕｏｕｓ  Ｒｅｃｅｐｔｉｏｎ、以下“ＤＲＸ”という）周期と短いＤＲＸ周期別に各々ＤＲＸ開始時間を定義し、短いＤＲＸ周期で使用するＤＲＸ開始時間を長いＤＲＸ周期に適用して決定することができる方法を提案する。
【００２３】
図１は、本発明による長い周期と短い周期を有する不連続受信動作を説明した図である。
【００２４】
図１を参照してＤＲＸ動作を記述すれば、ＤＲＸ動作は、一般的に下記要素によって規定される。
【００２５】
図１で、参照番号１０５は、“オンデュレーション（Ｏｎ  ｄｕｒａｔｉｏｎ）”であって、端末がＤＲＸ周期ごとに覚めてＰＤＣＣＨを監視する最小期間を意味する。前記ＰＤＣＣＨは、順方向あるいは逆方向伝送資源割り当てメッセージが伝送される順方向制御チャネルである。端末は、オンデュレーションの間にスケジューリングされなければ、スリープ状態（ｓｌｅｅｐ  ｓｔａｔｅ）に遷移し、バッテリーを節約する。
【００２６】
図１で、参照番号１１５は、“Ｌｏｎｇ  ＤＲＸ周期（Ｌｏｎｇ  ＤＲＸ  ｃｙｃｌｅ）”であって、端末に定義される２つのＤＲＸ周期のうち長い周期を言い、端末は、Ｌｏｎｇ  ＤＲＸ周期で動作する間には、オンデュレーション開始時間（Ｏｎ  ｄｕｒａｔｉｏｎ  ｓｔａｒｔｓ）３１０からＬｏｎｇ  ＤＲＸ周期だけ経過した時点に次のオンデュレーションを開始する。オンデュレーション１１０を含む第１のｌｏｎｇ  ＤＲＸ周期後につながる第２のｌｏｎｇ  ＤＲＸ周期で、ＤＲＸのオンデュレーションは固定（ｆｉｘ）される必要がない。すなわち、第２のｌｏｎｇ  ＤＲＸ周期のオンデュレーション１２０は、以前のｌｏｎｇ  ＤＲＸ周期のオンデュレーション１１０よりさらに大きくなることができる。オンデュレーションの長さは、多様なシステムパラメータによって多様化されることができる。
【００２７】
図１で、参照番号１２５は、“Ｓｈｏｒｔ  ＤＲＸ周期（Ｓｈｏｒｔ  ＤＲＸ  ｃｙｃｌｅ）”であって、端末に定義される２つのＤＲＸ周期のうち短い周期を言う。端末は、Ｌｏｎｇ  ＤＲＸ周期で動作してから、所定のイベント、例えば、スケジューリングを受けるなどのイベントが発生すれば、ｓｈｏｒｔ  ＤＲＸモードに遷移する。端末は、ｓｈｏｒｔ  ＤＲＸ周期で動作する間には、以前のオンデュレーション開始時間３３０からｓｈｏｒｔ  ＤＲＸ周期だけ経過した時点に次のオンデュレーションを開始する。
【００２８】
端末と基地局は、オンデュレーションの開始時間を決定するために、“ＤＲＸ開始オフセット（ＤＲＸ  ｓｔａｒｔ  ｏｆｆｓｅｔ）”というパラメータを利用する。前記ＤＲＸ開始オフセット（ＤＲＸ  ｓｔａｒｔ  ｏｆｆｓｅｔ）は、０から２５５９間の値を有し、１つのセル内に位置する端末のオンデュレーション開始時間をできるだけ均一に分布させるために使用されるパラメータである。本発明の実施例において、基地局は、基地局のサービス領域（ｓｅｒｖｉｃｅ  ｃｏｖｅｒａｇｅ  ｒｅｇｉｏｎ）内で動作する各端末機に対するＤＲＸ開始オフセットを決定する。前記基地局は、端末に前記ＤＲＸ開始オフセットを伝送し、端末は、前記ＤＲＸ開始オフセットを利用して下記で説明する数式を利用してｌｏｎｇ  ＤＲＸ周期及びｓｈｏｒｔ  ＤＲＸ周期に対するデュレーション開始時間を決定することができる。Ｌｏｎｇ  ＤＲＸ周期で動作する端末は、下記数式１を満足するサブフレーム（図示せず）でオンデュレーションを開始する。
【００２９】
［（ＳＦＮ＊１０）＋ｓｕｂｆｒａｍｅ  ｎｕｍｂｅｒ］ｍｏｄｕｌｏ（Ｌｏｎｇ  ＤＲＸ  ｃｙｃｌｅ）＝ＤＲＸ  ｓｔａｒｔ  ｏｆｆｓｅｔ・・・・・・・・・（数式１）
【００３０】
Ｓｈｏｒｔ  ＤＲＸ周期で動作する端末は、下記数式２を満足するサブフレームでオンデュレーションを開始する。
【００３１】
［（ＳＦＮ＊１０）＋ｓｕｂｆｒａｍｅ  ｎｕｍｂｅｒ］ｍｏｄｕｌｏ（Ｓｈｏｒｔ  ＤＲＸ  ｃｙｃｌｅ）＝ＤＲＸ  ｓｔａｒｔ  ｏｆｆｓｅｔ・・・・・・・・（数式２）
【００３２】
前記数式１及び数式２で、ＳＦＮ（Ｓｙｓｔｅｍ  Ｆｒａｍｅ  Ｎｕｍｂｅｒ）というのは、１０ｍｓｅｃごとに１ずつ増加する一種のカウンターである。前記ＳＦＮは、ラジオフレームと一対一で対応し、１つのラジオフレームは、１０個のサブフレームで構成される。前記サブフレームには、順に０から９までサブフレーム番号が付与される。端末と基地局は、前記ＳＦＮを通じて時点を共通で認知している。ＳＦＮは、システム情報を通じてセルに属している端末に伝送される。また、数式１及び数式２で、前記ｓｈｏｒｔ  ＤＲＸ周期に対する前記ＤＲＸ開始オフセットは、ｌｏｎｇ  ＤＲＸ周期に対するＤＲＸ周期オフセットと異なることができる。
【００３３】
前記数式１及び数式２によれば、ＤＲＸ開始オフセット（ｓｈｏｒｔ  ＤＲＸ周期及びｌｏｎｇ  ＤＲＸ周期の両方共に対して）が１６、ｓｈｏｒｔ  ＤＲＸ周期が２５６、ｌｏｎｇ  ＤＲＸ周期が５１２の端末は、ｌｏｎｇ  ＤＲＸ周期で動作する場合には、下記サブフレームで前記数式１が真実なので、オンデュレーションを開始する。ｓｆ（ｘ，ｙ）は、ＳＦＮｘのサブフレームｙを意味する。
【００３４】
ｓｆ（１，６）、ｓｆ（５２，８）、ｓｆ（１０４，０）、ｓｆ（１５５，２）、…
【００３５】
前記端末は、ｓｈｏｒｔ  ＤＲＸ周期で動作する場合には、下記サブフレームでオンデュレーションを開始する。
【００３６】
ｓｆ（１，６）、ｓｆ（２７，２）、ｓｆ（５２，８）、ｓｆ（７８，４）、…
【００３７】
前記数式１と数式２で、ｓｈｏｒｔ  ＤＲＸ周期に対するＤＲＸ開始オフセットがＳｈｏｒｔ  ＤＲＸ周期より小さい場合には、前記数式１と数式２を満足するサブフレームが常に存在する。
【００３８】
しかし、ｓｈｏｒｔ  ＤＲＸ周期に対するＤＲＸ  ｓｔａｒｔ  ｏｆｆｓｅｔがｓｈｏｒｔ  ＤＲＸ周期より大きい場合には、数式１を満足するサブフレームが常に存在するが、数式２を満足するサブフレームが常に存在するものではないので、この場合、端末は、オンデュレーションの開始時間を判断することができず、端末が正常に動作しないこともできる。このような問題を解消するために、本発明の実施例は、ｓｈｏｒｔ  ＤＲＸ周期で動作する場合、ｌｏｎｇ  ＤＲＸ周期に対するＤＲＸ開始オフセットを利用してオンデュレーション開始時間を決定する新しい手続を設定する。すなわち、ｓｈｏｒｔ  ＤＲＸ周期に対するオンデュレーション開始時間は、ｌｏｎｇ  ＤＲＸ周期で使用するＤＲＸ開始オフセットを本発明の実施例で提案する所定の数式に変換した値を使用して獲得する。
【００３９】
また、ｌｏｎｇ  ＤＲＸ周期に対するＤＲＸ開始オフセットからオンデュレーション開始時間を決定する方法を利用すれば、基地局は、ただ１つのＤＲＸ開始オフセットを伝送すればよく、これにより、従来、２つのＤＲＸ開始オフセットを別途の情報として基地局が端末に通知しなければならない負担を無くし、ｌｏｎｇ  ＤＲＸ周期で使用するＤＲＸ開始オフセットとｓｈｏｒｔ  ＤＲＸ周期で使用するＤＲＸ開始オフセットとの間の一貫性を維持するようにした。
【００４０】
本発明において、端末は、ｌｏｎｇ  ＤＲＸ周期が使用される場合には、数式１を満足するサブフレームでオンデュレーションを開始し、すなわち、端末は、受信機をオン（ＯＮ）とし、ｓｈｏｒｔ  ＤＲＸ周期が使用される場合には、下記数式３を満足するサブフレームでオンデュレーションを開始する。本発明の実施例による下記の説明で、端末は、ｌｏｎｇ  ＤＲＸ周期内で下記の数式４を満足するサブフレームからオンデュレーション期間を開始する。端末は、ＤＲＸ開始オフセットがｌｏｎｇ  ＤＲＸ周期よりさらに大きくなることができるケースで適切なＤＲＸ動作を保障するように数式４を利用することができる。
【００４１】
［（ＳＦＮ＊１０）＋ｓｕｂｆｒａｍｅ  ｎｕｍｂｅｒ］ｍｏｄｕｌｏ（Ｓｈｏｒｔ  ＤＲＸ  ｃｙｃｌｅ）＝（ＤＲＸ  ｓｔａｒｔ  ｏｆｆｓｅｔ）ｍｏｄｕｌｏ（Ｓｈｏｒｔ  ＤＲＸ  ｃｙｃｌｅ）・・・・・・・・・・・・・・・・・・・・・・・（数式３）
【００４２】
前記数式３を使用すれば、ＤＲＸ開始オフセットがＳｈｏｒｔ  ＤＲＸ周期より大きい場合にも、右辺と左辺が同一の値が算出されるサブフレームが常に存在するので、端末と基地局は、オンデュレーションが始まる時点を明確に判別することができ、端末の受信機が正常に動作されることが保障される。
【００４３】
図２は、本発明の実施例による端末機のオンデュレーション開始時間を決定する動作手続を説明するための図である。
【００４４】
図２を参照すれば、端末は、２０５段階で、ＲＲＣシグナリングなどを通じてＤＲＸを設定する。すなわち、基地局が端末に下記ＤＲＸ設定に必要なパラメータ（例えば、ＤＲＸ  ｓｔａｒｔ  ｏｆｆｓｅｔ、Ｌｏｎｇ  ＤＲＸ  ｃｙｃｌｅ、Ｓｈｏｒｔ  ＤＲＸ  ｃｙｃｌｅ、オンデュレーションタイマーなど）を端末に伝送すれば、端末は、基地局で伝送した前記パラメータを受信して保存する。
【００４５】
端末は、前記パラメータを認知すれば、２１０段階に進行し、当該時点でＬｏｎｇ  ＤＲＸモードが使用されなければならないか、Ｓｈｏｒｔ  ＤＲＸモードが使用されなければならないかを判断する。一般的に所定期間の過去の間に基地局から資源を割り当てられたことがなければ、ｌｏｎｇ  ＤＲＸモードが使用され、そうではなければ、ｓｈｏｒｔ  ＤＲＸモードが使用される。現在サブフレームでＳｈｏｒｔ  ＤＲＸモードが使用されれば、端末は、２１５段階に進行し、現在サブフレームでＬｏｎｇ  ＤＲＸモードが使用されれば、端末は、２２０段階に進行する。
【００４６】
前記ｓｈｏｒｔ  ＤＲＸモードとして判断した場合、前記端末は、２１５段階でオンデュレーション開始可否を決定するために、現在サブフレーム番号とＳＦＮを前記数式３に代入し、前記数式３を満足するサブフレームを捜す。この時、前記数式３を満足するサブフレームが存在すれば、前記端末は、２２５段階に進行し、前記数式３を満足するサブフレームでオンデュレーションタイマーを駆動する。ここで、前記オンデュレーションは、オンデュレーションタイマーが駆動される期間と同一の意味を有するので、オンデュレーションタイマー駆動を開始することは、オンデュレーションを開始することと同一の意味を有する。前記オンデュレーションタイマーを駆動した後、前記端末は、２３０段階に進行し、次のサブフレームが開始するまで待機する。また、次のサブフレームが開始すれば、前記端末は、２１０段階に戻り、上記のような手続を繰り返し実行する。
【００４７】
しかし、２１５段階で、現在サブフレーム番号とＳＦＮを数式３に代入した結果、数式３が真実ではなければ（すなわち数式３の数式を満足しなければ）、前記端末は、２３０段階に進行し、次のサブフレームが開始するまで待機する。また、次のサブフレームが開始すれば、２１０段階に戻る。
【００４８】
また、前記２１０段階で、前記ｌｏｎｇ  ＤＲＸモードとして判断した場合、前記端末は、２２０段階で、オンデュレーション開始可否を判断するために、現在サブフレーム番号とＳＦＮを下記数式４に代入し、数式４を満足するサブフレームが存在するか否かを捜す。
【００４９】
［（ＳＦＮ＊１０）＋ｓｕｂｆｒａｍｅ  ｎｕｍｂｅｒ］ｍｏｄｕｌｏ（Ｌｏｎｇ  ＤＲＸ  ｃｙｃｌｅ）＝（ＤＲＸ  ｓｔａｒｔ  ｏｆｆｓｅｔ）ｍｏｄｕｌｏ（Ｌｏｎｇ  ＤＲＸ  ｃｙｃｌｅ）・・・・・・・・・・・・・・・・・・・・・・・・・（数式４）
【００５０】
この時、前記数式４を満足するサブフレームが存在すれば、前記端末は、２２５段階に進行し、オンデュレーションタイマー駆動を開始する。ここで、前記オンデュレーションタイマー駆動を開始することは、オンデュレーションを開始することと同一の意味を有する。前記オンデュレーションタイマーを駆動した後、端末は、２３０段階に進行し、次のサブフレームが開始するまで待機する。また、次のサブフレームが開始すれば、前記端末は、２１０段階に戻り、上記のような手続を繰り返し実行する。
しかし、前記２２０段階で、現在サブフレーム番号とＳＦＮを数式４に代入した結果、数式４を満足するサブフレームが存在しなければ、前記端末は、２３０段階に進行し、次のサブフレームが開始するまで待機する。また、次のサブフレームが開始すれば、２１０段階に戻る。
【００５１】
前述したように、互いに異なる周期で動作する不連続受信動作をする移動通信システムの不連続動作周期の開始時間を決定する時、端末は、基地局から不連続受信動作関連パラメータを受信した後、受信されたパラメータを利用して現在不連続受信動作設定がＬｏｎｇ  ＤＲＸ周期であるか、またはＳｈｏｒｔ  ＤＲＸ周期であるかを確認する。この時、Ｓｈｏｒｔ  ＤＲＸ周期として確認されれば、前記端末は、前記数式３を満足するサブフレームをオンデュレーション開始時間に設定する。また、Ｌｏｎｇ  ＤＲＸ周期として確認されれば、前記端末は、前記数式４を満足するサブフレームをオンデュレーション開始時間に設定する。
【００５２】
図３は、本発明による端末機のオンデュレーション開始時間を決定する端末装置の構成を示す図である。
【００５３】
図３を参照すれば、端末装置は、多重化及び逆多重化装置３０５、ＨＡＲＱプロセッサ３１５、送受信部３３０、ＤＲＸ制御部３２５、制御チャネル処理部３２０、ＰＤＣＰ／ＲＬＣ装置３３５、上位階層装置３４５、３５０、ＲＲＣ装置または無線資源制御部３４０で構成される。
【００５４】
送受信部３３０は、無線チャネルを通じて無線信号を受信したり、送信する。ＤＲＸ制御部３２５は、所定の規則によって受信部の不連続受信動作を制御する。また、ＤＲＸ制御部３２５は、ＲＲＣ装置３４０からＤＲＸ動作の制御のために必要なパラメータを提供される。前記ＤＲＸ制御部３２５は、各サブフレームごとに前記数式３あるいは数式４を利用してオンデュレーションタイマー開始可否を判断し、オンデュレーションタイマー開始条件が充足されれば、前記送受信部３３０をオンとする。前記ＡＲＱプロセッサ３１５は、所定のＨＡＲＱ動作を通じて送受信部３３０が受信するＨＡＲＱパケットを処理し、エラーがないＨＡＲＱパケットは、逆多重化装置３０５に伝達する。また、多重化装置３０５が伝達するパケットを所定のＨＡＲＱ動作を用いて送受信部３３０を介して伝送する。多重化及び逆多重化装置３０５は、上位階層で発生したパケットを１つのＨＡＲＱパケットに多重化し、ＨＡＲＱプロセッサ３１５に伝達するか、またはＨＡＲＱプロセッサ３１５が伝達したＨＡＲＱパケットを逆多重化し、適切な上位階層装置３５０、３４５に伝達する動作を行う。ＰＤＣＰ／ＲＬＣ装置３３５は、無線ベアラー（ｂｅａｒｅｒ）ごとに１つずつ構成され、上位階層装置３５０、３４５やＲＲＣ装置３４０が伝達したデータを処理し、多重化及び逆多重化装置３０５に伝達するか、または多重化及び逆多重化装置３０５が伝達したデータを処理し、上位階層装置３５０、３４５やＲＲＣ装置３４０に伝達する。ＲＲＣ装置３４０は、基地局からＤＲＸに関連したパラメータを受信し、ＤＲＸ制御部３２５に伝達する。
【００５５】
したがって、前記送受信部３３０は、前記ＤＲＸ制御部３２５の制御下に不連続受信動作（Ｄｉｓｃｏｎｔｉｎｕｏｕｓ  Ｒｅｃｅｐｔｉｏｎ）を行うようになり、バッテリーの電源を節約するようになる。すなわち、前記送受信部３３０が不連続受信動作を行うことによって、端末は、定められた時点に受信機をオンとする順方向制御チャネルを監視し、一定期間の間にスケジューリングされなければ、受信機をオフとし、バッテリーの電源を節約することができるようになる。上記のような構成を有する端末装置のＲＲＣ装置３４０は、基地局からＤＲＸに関連したパラメータを受信し、ＤＲＸ制御部３２５に伝達する。すると、前記ＤＲＸ制御部３２５は、前記ＲＲＣ装置３４０から不連続受信動作関連パラメータを受信した後、受信されたパラメータを利用して現在不連続受信動作設定がＬｏｎｇ  ＤＲＸ周期であるか、またはＳｈｏｒｔ  ＤＲＸ周期であるかを確認する。その後、前記ＤＲＸ制御部３２５は、この時、Ｓｈｏｒｔ  ＤＲＸ周期と確認されれば、前記端末は、前記数式３を満足するサブフレームをオンデュレーション開始時間に設定する。また、Ｌｏｎｇ  ＤＲＸ周期と確認されれば、前記端末は、前記数式４を満足するサブフレームをオンデュレーション開始時間に設定する。また、オンデュレーションタイマー開始条件が充足されれば、前記ＤＲＸ制御部３２５は、前記送受信部３３０をオンとする。
【００５６】
前述したように、本発明によれば、互いに異なる周期によって不連続受信動作が無線通信システム端末機において端末が１つの周期から他の周期に遷移しながら受信機をオンとする開始時間を新しく決定するにあたって、不連続周期よりさらに大きい値に設定されることができる可能性を排除し、常に有効な結果を得ることができるようにして、端末機が正常に動作することが可能となる。これにより、資源の効率的使用及び受信品質の向上を期待することができる。
【００５７】
本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも、本発明の技術的思想に基づく他の変形例が実施可能であることは、本発明の属する技術分野における通常の知識を有する者に自明である。
【符号の説明】
【００５８】
１０５  オンデュレーション
１１０  オンデュレーション開始時間
１１５  Ｌｏｎｇ  ＤＲＸ周期
１２０  オンデュレーション
１２５  Ｓｈｏｒｔ  ＤＲＸ周期
１３０  オンデュレーション開始時間
【図１】
2012508501.tif 000003
【図２】
2012508501.tif 000004
【図３】
2012508501.tif 000005
【国際調査報告】
2012508501.tif 000006
2012508501.tif 000007
2012508501.tif 000008
2012508501.tif 000009
2012508501.tif 000010
2012508501.tif 000011
2012508501.tif 000012